(57)【要約】【課題】近年、社会情勢が悪化しており、その中でも、社会的弱者である子どもを取り巻く環境は劣悪である。この発明は、保護者による子どもの安否確認を安全、迅速かつ合理的に行うことを目的とする。【解決手段】子どもにＩＣカードを携帯させインターネットを介して登下校を含め、子どもの立ち寄り場所と立ち寄り時刻を保護者に即時に知らせて子どもの安全を守る。【選択図】図２
2009193158.tif 000002
【特許請求の範囲】
【請求項１】
ＩＣカードを携帯する子どもが学校の登下校時、および図書館等公共施設・子ども110番・塾・駅・コンビニエンスストアへの立ち寄り時、そこに設置したＩＣカードリーダーが子どもの存在を確認して、その情報をインターネット通信網を介して蓄積・配信するＷＥＢサーバを備え、
前記ＷＥＢサーバは、自治体や学校もしくは自治体や学校と設置契約を締結したデータセンターに備えられ、
前記ＷＥＢサーバは、あらかじめ子どもの保護者のメールアドレス・学年・氏名及びＩＣカードの固有番号とを登録する機能を有し、
前記ＷＥＢサーバは、上記ＩＣカードリーダーが子どもの存在を読取り、そのＩＣカードの固有番号固有番号、立ち寄り場所及び読取り時刻を送信した情報を、前記ＷＥＢサーバ内のデータベースに登録された情報と照らし合わせて、該当する保護者のメールアドレスに読取り時刻をｅメールで送信する機能を有し、
前記保護者は所有する携帯電話やＰＣに届いた読取り時刻を確認する機能を有し、
前記ＷＥＢサーバは、上記ＩＣカードリーダーが子どもの存在を読取り、そのＩＣカードの固有番号と読取り時刻を送信した回数をカウントし、その回数をもとにポイントを計算して、前記ＷＥＢサーバ内のデータベースに蓄積して必要に応じて参照する機能を有し、
前記ＩＣカードリーダーは、同一場所に複数置かれた場合には、複数のＩＣカードリーダーが重複して読取りをしないように工夫をしたプログラムが動作する機能を有し、
前記ＩＣカードリーダーは、同一ＩＣカードを重複して読取りをしないように工夫をしたプログラムが動作する機能を有し、
前記ＩＣカードリーダーは、ＰＣの制御を必要とするレベルの読取り機能をもつＩＣカードリーダーであってもＰＣの制御を必要とせず、自らＩＰアドレスを持って読取り機能を果たすＩＣカードリーダーであることを問わないことを特徴とし、
前記ＩＣカードリーダーは、アクティブ型であることとパッシブ型であることを問わないことを特徴とする、安否情報確認システム。
【発明の詳細な説明】
【技術分野】
【０００１】
本発明は、子どもにＩＣカードを携帯させインターネットを介して立ち寄り場所と立ち寄り時刻を保護者に即時に知らせて子どもの安否情報を得るための安否情報確認システムに関する。
【背景技術】
【０００２】
近年、社会情勢が不安となってきており、その中でも、社会的弱者である園児、児童、生徒（以下、「子ども」という）を取り巻く環境は劣悪である。
【０００３】
子どもに対する営利目的の誘拐、殺害、殺傷、性的虐待、いじめ、強制わいせつ、金品の巻き上げなど、悲惨な事件がますます多くなってきている。これらの事件は、子どもの通学の途中や塾の帰りなどで多く発生し、子どもを保護者自ら守る必要が多くなっている。
【０００４】
現在その解決手段の１つとして、地域の当番や保護者が登下校に同伴したり、見守りポイントに出動して登下校の確認を行っている例が多い。しかし、学校の担当者は下校時間の確認と地域の当番や保護者へ連絡に忙殺させられており個々の子どもにまで細かい配慮がなされているとは言いがたい状況である。
【特許文献１】特許公開２００４−１９２２８３号公報
【発明の開示】
【発明が解決しようとする課題】
【０００５】
保護者による子どもの安否確認を安全、迅速かつ合理的に行うことを目的とする。
【課題を解決するための手段】
【０００６】
上述の如き本発明の目的を達成するために、本願の請求項１に係る発明では、ＩＣカードを携帯する子どもが学校の登下校時、および図書館等公共施設・子ども110番・塾・駅・コンビニエンスストアへの立ち寄り時、そこに設置したＩＣカードリーダーが子どもの存在を確認して、その情報をインターネット通信網を介して蓄積・配信するＷＥＢサーバを備え、
前記ＷＥＢサーバは、自治体や学校もしくは自治体や学校と設置契約を締結したデータセンターに備えられ、
前記ＷＥＢサーバは、あらかじめ子どもの保護者のメールアドレス・学年・氏名及びＩＣカードの固有番号とを登録する機能を有し、
前記ＷＥＢサーバは、上記ＩＣカードリーダーが子どもの存在を読取り、そのＩＣカードの固有番号、立ち寄り場所及び読取り時刻を送信した情報を、前記ＷＥＢサーバ内のデータベースに登録された情報と照らし合わせて、該当する保護者のメールアドレスに読取り時刻をｅメールで送信する機能を有し、
前記保護者は所有する携帯電話やＰＣに届いた読取り時刻を確認する機能を有し、
前記ＷＥＢサーバは、上記ＩＣカードリーダーが子どもの存在を読取り、そのＩＣカードの固有番号と読取り時刻を送信した回数をカウントし、その回数をもとにポイントを計算して、前記ＷＥＢサーバ内のデータベースに蓄積して必要に応じて参照する機能を有し、
前記ＩＣカードリーダーは、同一場所に複数置かれた場合には、複数のＩＣカードリーダーが重複して読取りをしないように工夫をしたプログラムが動作する機能を有し、
前記ＩＣカードリーダーは、同一ＩＣカードを重複して読取りをしないように工夫をしたプログラムが動作する機能を有し、
前記ＩＣカードリーダーは、ＰＣの制御を必要とするレベルの読取り機能をもつＩＣカードリーダーであってもＰＣの制御を必要とせず、自らＩＰアドレスを持って読取り機能を果たすＩＣカードリーダーであることを問わないことを特徴とし、
前記ＩＣカードリーダーは、アクティブ型であることとパッシブ型であることを問わないことを特徴とする、安否情報確認システムを提供する。
【発明を実施するための最良の形態】
【０００７】
以下、この発明の実施の形態について図面を参照して説明する。図１は、全体図である。ＩＣカードリーダーが設置された学校・図書館等公共施設・子ども110番・塾・駅・コンビニエンスストアはインターネットを介して自治体やデータセンターのＷＥＢサーバに接続されている。一方保護者の携帯電話やＰＣの端末はインターネットを介して自治体やデータセンターのＷＥＢサーバからの送信を受けることができる。ＩＣカードリーダーが読取った事実は上記の経路で保護者に配信される。
【０００８】
次に、日常の流れを図２に従い説明する。
【０００９】
ＩＣカードＩＤ読取り手段１により、子どもがＩＣカードリーダーの近くをＩＣカードを携帯して通過したりもしくはＩＣカードリーダーにＩＣカードを接触させると、ＩＣカードリーダーはＩＣカードＩＤを読取る。
【００１０】
ＩＣカードＩＤによるデータ照合手段２により、ＩＣカードリーダーはＩＣカードリーダーＩＤとＩＣカードＩＤを所定のサーバに送信する。その際、前記ＩＣカードリーダーが同一場所に複数置かれた場合には、それら複数のＩＣカードリーダーが重複して読取りをしないように工夫をしたプログラムが動作する。上記サーバではデータベースからＩＣカードＩＤに該当するアドレスを抽出し、ＩＣカードリーダーに該当する読取り場所を抽出する。
【００１１】
ＩＣカードＩＤ読取りの履歴保存手段３により、読取り時間とＩＣカードリーダーＩＤとＩＣカードＩＤを保存する。
【００１２】
該当アドレスへの送信手段４により、上記サーバから該当する保護者のアドレスに読取り時間と読取り場所を送信される。登校時には登校した事実として送信され、下校時には下校した事実として送信される。
【００１３】
該当アドレスによる受信手段５により、保護者は受信装置（携帯電話やＰＣ等）により受信して確認する。
【００１４】
次に、その他として図３に従い説明する。
【００１５】
初期登録手段１により、ＩＣカードＩＤと保護者の受信装置のアドレスをあらかじめ登録してデータベース化し、ＩＣカードリーダーの設置場所をあらかじめ登録してデータベース化する。
【００１６】
履歴に基づく処理手段２により、保存されたデータをもとに、ＩＣカードの読取数の集計処理、ＩＣカードの読取数によるポイント換算処理、印刷等の出力処理を行う。
【図面の簡単な説明】
【００１７】
【図１】全体図
【図２】日常の流れ
【図３】その他
【図１】
2009193158.tif 000003
【図２】
2009193158.tif 000004
【図３】
2009193158.tif 000005